(57)【要約】      （修正有）【課題】カメラを大型化することなく、動画撮影時のノイズを抑え、外観品位も犠牲にしないマイク保持構造及びそれを構成する電子機器を提供する。【解決手段】外装部材と、一辺に音響入力孔３０５ａを備えたマイクユニットと、マイクユニットを格納する窪みを備えた樹脂製のマイク保持部材と、外装部材の、音響入力孔と対向した位置にマイク穴１０８を備え、マイク穴は投影上、音響入力孔を内包する大きさを備えるとともに、外装部材とマイクユニットは外装部材裏面において当接する。【選択図】図９
2014158122.tif 000002
【特許請求の範囲】
【請求項１】
外装部材(214)と、
一辺に音響入力孔(305a)を備えたマイクユニット(301,302)と、
前記マイクユニット(301,302)を格納する窪み(203b,213b)を備えた樹脂製のマイク保持部材(203,213)と、
前記外装部材(214)は、前記音響入力孔(305a)と対向した位置にマイク穴(214b,214c)を備え、
前記マイク穴(214b,214c)は投影上、前記音響入力孔(305a)を内包する大きさを備えるとともに、
前記外装部材(214)と前記マイクユニット(301,302)は前記外装部材裏面(214d)において当接することを特徴とする電子機器。
【請求項２】
前記外装部材(214)は、化粧パネル部材(107)を備え、
前記化粧パネル部材(107)は、前記マイクユニット(301,302)の音響入力孔(305a)と重なる位置にマイク穴(108,109)を備えるとともに、
前記化粧パネル部材(107)のマイク穴(108,109)は投影上、前記外装部材(214)のマイク穴(214b,214c)に内包されることを特徴とする請求項１に記載の電子機器。
【請求項３】
前記マイク保持部材(203,213)は前記マイクユニット(301,302)と投影上重なる位置で前記音響入力孔(305a)よりも化粧パネル部材(107)寄りに、前記マイクユニット(301,302)係止するための爪部材(203g,213g)を備え、
前記爪部材(203g,213g)は前記外装部材(214)に設けた開口部(214e,214f)に格納されるとともに、前記開口部(214e,214f)は前記化粧パネル部材(107)で覆われて外観に露出しないことを特徴とする請求項２に記載の電子機器。
【請求項４】
前記マイク保持部材(213)を裏面から支持し、前記窪み(213b)に沿って延伸する可撓性を持つ板部材(218a)を更に備え、
前記マイク保持部材(213)は前記窪み(213b)を形成する側壁(213d)の前記爪部材(213g)近傍に開口部(213c)を備え、
前記板部材(218a)は前記開口部(213c)と相対する位置に立ち曲げ(218d)を備えるとともに、前記開口部(213c)を覆うことを特徴とする請求項３に記載の電子機器。
【請求項５】
前記マイクユニット(302)と電気的に接続された配線部材(304)を更に備え、
前記マイク保持部材(203)は前記窪み(203b)を形成する側壁(203d)の前記爪部材(203g)と対向する位置に開口部(203h)を備えるとともに、
前記配線部材(304)は前記開口部(203h)を通り、前記外装部材(214)から離れる方向に延伸することを特徴とする請求項３に記載の電子機器。
【請求項６】
前記マイクユニット(301,302)は一辺が開口され対向する底面に音響入力孔(305a)を持つ一体の金属ケース部材(305)で構成され、
前記マイク保持部材の窪み底面(203e,213e)と前記金属ケース(305)の開口した側の端部(305b)が当接することを特徴とする請求項１乃至請求項５の何れか１項に記載の電子機器。
【請求項７】
前記外装部材(214)は金属カバーで構成され、前記化粧パネル部材(107)を装着する領域はプレス加工による段差(214d)を有することを特徴とする請求項１乃至請求項６の何れか１項に記載の電子機器。
【発明の詳細な説明】
【技術分野】
【０００１】
本発明は、例えばデジタルカメラ等の撮像装置や携帯電話機等、外部の音声を録音するためのマイク部材を備える電子機器に関する。
【背景技術】
【０００２】
近年、デジタルカメラの高倍率ズーム化に伴い、レンズ鏡筒が大型化するとともにズームモーターの推力が大きくなり、その結果、ズーム時の駆動ノイズも大きくなっている。
【０００３】
カメラ自体の小型化に加え、動画撮影機能を重視したデジタルカメラにおいては動画記録時のズーム操作によりレンズ駆動音が録音されるなど、ノイズの影響を受けることが多くなった。
【０００４】
そのため、マイクをレンズ鏡筒から離して、ノイズの影響を軽減する必要があるが、カメラのデザイン上、配置できるマイクの位置には制限があった。
【０００５】
まず、金属外装を備えた前面カバーに対し、レンズ鏡筒の周囲に加飾のためのパネル部材等を具備する場合、前面カバーの取り付け部には絞り加工や半抜き加工などのプレス加工が必要となる。
【０００６】
しかし、マイク穴は上記加工部の端面から離さないと、穴周囲に歪みや変形などの外観不良が発生するため、マイク穴はパネル部材の外周端面よりもレンズ鏡筒寄りに設置しなければならなかった。
【０００７】
一方、前記パネル部材の外側に配置し、レンズ鏡筒から離してマイクを設置しようとすると、カメラの信号処理を行うプリント基板の配置スペースと重なり、基板の実装スペースが足りなくなるという問題があった。
【０００８】
従来のこの種の電子機器においては、機器の小型化及び電子回路基板の実装効率の向上を図るため、マイク部材を保持したマイクホルダを電子回路基板の未実装部分に当接させるように配置したものがある（特許文献１）。
【先行技術文献】
【特許文献】
【０００９】
【特許文献１】特開２０１１−１４６９００号公報
【発明の概要】
【発明が解決しようとする課題】
【００１０】
しかしながら、小型化と高倍率ズームを併せ持つ屈曲鏡筒を有したデジタルカメラの場合、カメラ内部の大部分を鏡筒機構と電池で占めてしまい、さらに基板の実装面積が不足しているため、基板とマイクを重ねて配置すると部品が実装しきれず基板面積が拡大し、カメラが大型化する原因となった。
【００１１】
また動画撮影中の放熱対策のために、基板と外装カバーの間に大型のヒートシンクを設ける必要があり、また基板前面は通信用フレキシブル基板と、その接続用コネクタの設置スペースが必要となる。そのためマイクを最適な位置に設置することが困難であった。
【００１２】
また、デザインの制約などにより外装カバーのマイク穴とマイク中心位置がずれたり、十分なマイク穴の開口面積が確保できない場合、内部反射音により動画撮影中のズーム駆動音が増える原因となり、録音された音声にノイズの影響が見られた。
【００１３】
本発明の目的は、カメラを大型化することなく、動画撮影時のノイズを抑え、外観品位も犠牲にしないマイク保持構造及びそれを構成する電子機器を提供することにある。
【課題を解決するための手段】
【００１４】
上記の課題を解決するために、本出願における第１の発明では、
外装部材と、一辺に音響入力孔を備えたマイクユニットと、
マイクユニットを格納する窪みを備えた樹脂製のマイク保持部材と、
外装部材の、音響入力孔と対向した位置にマイク穴を備え、
マイク穴は投影上、音響入力孔を内包する大きさを備えるとともに、
外装部材とマイクユニットは外装部材裏面において当接することを特徴とする。
【発明の効果】
【００１５】
以上の構成により、本出願における発明では、マイクを配置するスペースが限られたデジタルカメラにおいても、外観品位を犠牲にすることなく、動画撮影中のノイズを抑えたマイクの保持構造を持つ電子機器を提供することができた。
【図面の簡単な説明】
【００１６】
【図１】デジタルカメラの外観斜視図である。
【図２】デジタルカメラの内部構成を示す分解斜視図である。
【図３】デジタルカメラの基板構成を示す斜視図である。
【図４】デジタルカメラのマイク構成を示す斜視図である。
【図５】コンデンサマイクの内部構成を示す分解斜視図である。
【図６】デジタルカメラのマイク保持構造を示す分解斜視図である。
【図７】金属外装の裏面側から見た、マイク穴構造を示す斜視図である。
【図８】帯状外装部材のマイク取り付け構造を示す斜視図であり、（ａ）は、分解斜視図、（ｂ）は、取り付け後の構成を示す斜視図である。
【図９】本発明の第１の実施の形態に係る電子機器としての、（ａ）は図１の矢視Ａ−Ａ線に、（ｂ）は矢視Ｂ−Ｂ線に沿うデジタルカメラの構成を示す断面図である。
【図１０】本発明の第２の実施の形態に係る電子機器としての、（ａ）は図１の矢視Ｃ−Ｃ線に、（ｂ）は矢視Ｄ−Ｄ線に沿うデジタルカメラの構成を示す断面図である。
【図１１】電池収納部材のマイク取り付け構造を示す斜視図であり、（ａ）は、分解斜視図、（ｂ）は、取り付け後の構成を示す斜視図である。
【発明を実施するための形態】
【００１７】
以下に、本発明の好ましい実施の形態を、添付の図面に基づいて詳細に説明する。
【００１８】
〔第１の実施の形態〕
以下、図１から図９を参照して、本発明の第一の実施例によるマイク保持構造について説明する。
【００１９】
図１は本実施の形態にかかるデジタルカメラの外観斜視図を示す。
【００２０】
同図において、デジタルカメラ１０１は、本体前面にレンズ鏡筒１０２とストロボ１０５、ＡＦ補助光１０６、化粧用パネル１０７、左右２つのマイク穴１０８、１０９、また上面に電源ボタン１０３、レリーズボタン１０４を備えている。
【００２１】
レンズ鏡筒１０２は、撮影レンズ、該撮影レンズを支持する鏡筒部材、撮像素子等からなる撮影光学系を構成している。
【００２２】
電源ボタン１０３は、デジタルカメラの電源の投入／切断を行う際に操作する。レリーズボタン１０４は、撮影を行う際に操作する。
【００２３】
マイク穴１０８、１０９は動画撮影時の音声を収録するための集音部である。
【００２４】
ストロボ１０５と、ＡＦ補助光１０６は、低輝度撮影環境下において発光動作を行う。
【００２５】
上述した電源ボタン１０３、レリーズボタン１０４、ストロボ１０５、ＡＦ補助光１０６は、後述のメイン基板２１０に実装されているＣＰＵにより制御される。
【００２６】
図２は、デジタルカメラ１０１の内部構造を示す分解斜視図である。
【００２７】
デジタルカメラ１０１は、屈曲光学系のレンズ鏡筒１０２とストロボユニット２０２、電池収納部２０３を備え、それぞれメインフレーム２０４（フレーム部材）にビス固定される。
【００２８】
次に、デジタルカメラ１０１は、各操作スイッチ２０５と、電池に設けられた接点と当接する電池コネクタ２０６、ＵＳＢコネクタ２０７、ＡＦ補助光ＬＥＤ２０８を実装したフレキシブル基板２０９、信号処理基板であるところのメイン基板２１０、無線通信基板２１１を備える。
【００２９】
また、デジタルカメラ１０１は表示パネル２１２と樹脂製の帯状外装部材２１３、アルミ合金製の前後外装部材（２１４、２１５）を備える。
【００３０】
図３は、デジタルカメラ１０１の各基板を接続した状態を示す斜視図である。
【００３１】
前記フレキシブル基板２０９はメイン基板２１０と無線通信基板２１１、ストロボ基板２１６と電気的に接続されている。
【００３２】
メイン基板２１０に対してはコネクタ２１７を介して接続し、その根元部２０９aで枝分かれしたフレキシブル基板先端部２０９ｂに設けた端子形状によって無線通信基板２１１に設けたコネクタ２１１aと接続されている。
【００３３】
また、フレキシブル基板２０９は無線通信基板２１１の下部を迂回するように延伸し、２０９cにて再び枝分かれした後、一方は電池コネクタ２０６が実装され電池収納部２０３で保持される。
【００３４】
また他方、フレキシブル基板先端部２０９ｄはストロボ基板２１６上のコネクタ２１６aによって接続されている。
【００３５】
図４は、デジタルカメラ１０１のフレキシブル基板２０９を裏面から見た時の斜視図である。
【００３６】
フレキシブル基板２０９の、無線通信基板２１１の下部を迂回した部分にはステレオのマイク接続部２０９eが具備されている。
【００３７】
マイクは小型のエレクトレットコンデンサーマイクロホン（以下、コンデンサマイクという）を使用し、それぞれＲチャンネル用３０１、Ｌチャンネル用３０２のコンデンサマイクがリード線３０３、３０４を介して電気的に接続されている。
【００３８】
図５はコンデンサマイクの内部構造を示す分解斜視図である。
【００３９】
コンデンサマイクの外形は金属材料を深絞りで有底筒状に成形されたケース３０５で構成され、底面部には音響入力孔３０５aを有している。
【００４０】
前記ケース内部には、以下の部品を挿入し、最後にカシメ部３０５bを折り曲げて内部構成部品を隙間なく片寄せし、電気的に接続されている。
【００４１】
３０６は金属製のリング状スペーサであり、３０７のエレクトレット高分子フィルム膜の振動板がケース３０５内面に接触して振動を阻害しないように離間させている。
【００４２】
３０８は絶縁フィルムで形成されたスペーサであり、３０９は金属製の板材で構成される固定電極である。前記エレクトレット高分子フィルム膜の振動板３０７と前記固定電極３０９が相対することによりコンデンサが構成されている。
【００４３】
次に３１０は絶縁のためのリング状樹脂スペーサであり、内部には前記固定電極３０９と円筒電極３１１を格納し、両部品がケース３０５と触れないように離間させるとともに、中心位置に合わせ、両部品を位置決めしている。
【００４４】
３１２はプリント基板であり、不図示の裏面側には、電界効果トランジスタ（以下ＦＥＴという）等の電子部品が実装され、マイクリード３０３、３０４とハンダ付け部３１３を介して電気的に接続されている。
【００４５】
前記円筒電極３１１は固定電極３０９とプリント基板３１２に設けた不図示の銅パターンに挟まれ、プリント基板３１２と固定電極３０９は電気的に接続されている。
【００４６】
これにより、振動板３０７と固定電極３０９との間の電気容量が、入力された音響振動に応じて変化させられると、ＦＥＴ等の電子部品により、先の電気容量の変化に応じた電気信号が生成される。
【００４７】
３１４は不織布などの面布であり、音響入力孔３０５aから異物が混入しないように保護している。
【００４８】
図６はコンデンサマイクの支持構成を示す分解斜視図である。
【００４９】
帯状外装部材２１３はコンデンサマイク３０１を保持する窪み２１３bを有する腕２１３aを具備している。
【００５０】
また、電池収納部２０３は同じくコンデンサマイク３０２を保持する窪み２０３aを具備している。
【００５１】
フレキシブル基板２０９はステンレス製の板部材で形成された操作プレート２１８に装着され、操作プレート２１８は、その腕部２１８eにおいてメインフレーム２０４にビス固定される。
【００５２】
操作プレート２１８には帯状外装部材２１３の腕２１３aと対向した位置に、可撓性を有した立ち曲げ部２１８bを有する。
【００５３】
立ち曲げ部２１８bは遮音のため帯状外装部材２１３の腕２１３aの裏面に延伸するとともにコンデンサマイク３０１が前面金属外装２１４から離れないように背面側から帯状外装部材２１３の腕２１３aを保持する。
【００５４】
また、立ち曲げ部２１８bはコンデンサマイク３０１と対向した位置に絞り加工による窪み２１８cを有し、コンデンサマイク３０１のハンダ突起部３１３が接触しないように離間させている。
【００５５】
立ち曲げ部２１８bの先端２１８dは、マイク保持部２１３bの壁が開口した部分２１３cを遮蔽するように延伸されている。
【００５６】
ここで、保持部２１３bの位置と、２０３aの位置はそれぞれレンズ光軸を中心に左右対称となり、見た目のバランスの取れた位置関係が求められる。
【００５７】
一方で、コネクタ２１７やストロボユニット２０２、レンズ鏡筒１０２、また後述するヒートシンク２１９とも重ならず、なおかつ前面金属カバー２１４に装着された化粧リング１０７にも影響しない位置にマイクを配置する必要がある。
【００５８】
しかし通常コンデンサマイクは、特許文献１に記載された図５のようにマイク全周をゴム等の弾性部材で囲み、カメラ内の振動を吸収させることが多く、マイクの周りに、ゴム部材を装着するスペースが必要となった。
【００５９】
その結果、ゴム部材を装着したマイクが設置できるだけのスペースがなく、やむを得ず音響入力孔３０５aの位置と前面金属カバーのマイク穴位置をずらして配置することもあった。
【００６０】
動画撮影時におけるノイズ源は、主にズームモーターやＡＦモーター、減速ギア駆動音やカムの摺動音などがあるが、それらはカメラの外から回り込む音やカバー内部で反射を繰り返しながら到達するもの、振動として伝達するものがある。
【００６１】
その中でも特に影響が大きいのが内部から伝わる反射音であり、特にコンデンサマイクの音響入力孔３０５a近傍で反射してくる音が支配的である。
【００６２】
例えばビデオカメラ等においてはマイク穴を大きく、数多く開けて音を反射する面積を相対的に減らしているが、小型化の進んだデジタルカメラにおいては十分な開口面積を設けることは難しい。
【００６３】
また、上記のようにマイク位置と前面金属外装のマイク穴位置をずらして配置すると、音響入力孔３０５aと対向する前面の外装部材裏面の反射面積が増大し、マイク穴の開口面積が狭くなる。これにより音響入力孔３０５a前面で反射してくる内部反響音により動画の音質を劣化させる原因となった。
【００６４】
そこで本実施例ではコンデンサマイク３０１を囲う弾性部材を廃止することにより、狭い設置スペース内に音響入力孔３０５aの位置とマイク穴１０８の位置を一致させた状態でマイクを配置している。
【００６５】
ただし、この場合はカメラ内の振動がコンデンサマイク３０１に伝わり、固定電極３０９を振動させることで電気容量の変化が生じ、電気信号としてノイズが出力されてしまうという問題が残る。
【００６６】
これに対しては、動画撮影時のズーム速度を、通常の静止画撮影時と比べて低速で駆動させることにより発生する振動を抑えている。
【００６７】
また、マイク保持部は振動の発生源となるレンズ鏡筒１０２とは独立しており、振動の影響を受けづらい。また、更に前面金属外装２１４とレンズ鏡筒１０２との間に緩衝材を設けることにより振動の伝達を軽減させている。
【００６８】
図７は、前面金属外装２１４の裏面側構造を示す斜視図である。
【００６９】
前面金属外装２１４はアルミ合金製のプレス成形部品であり、アルマイト染色による加飾の容易さ、放熱、伝熱性が優れ、多くのカメラで採用されている。
【００７０】
前面金属外装２１４は動画撮影時にメイン基板２１０から発生した熱をカメラ表面に伝熱することを防止するためのアルミ製ヒートシンク２１９がスポット溶接で装着されている。
【００７１】
前面金属外装２１４には、化粧リング１０７を接着、位置決めするために表側に設けた半抜きがあり、裏面側には半抜きにより出来た突出部２１４dを有している。
【００７２】
２１４bはコンデンサマイク３０１の音響入力孔３０５aと相対した位置に開口したマイク穴であり、その横には後述するマイク保持用の爪２１３gが格納される開口部２１４eを備えている。
【００７３】
また、同様に図７において、２１４cはコンデンサマイク３０２の音響入力孔３０５aと相対した位置に開口したマイク穴であり、その横には後述するマイク保持用の爪２０３gが格納される開口部２１４fを備えている。
【００７４】
図８は、帯状外装部材２１３のコンデンサマイク保持部の構造を示す斜視図であり、図８(a)は分解斜視図、図８(b)はマイク装着後の斜視図を示す。
【００７５】
腕部２１３aはコンデンサマイク３０１を装着可能となるように窪み２１３bが形成され、外周は遮音効果を高めるために前面金属外装２１４の裏面近傍まで壁２１３dで囲まれている。
【００７６】
コンデンサマイク３０１はケース３０５のカシメ部３０５bが受け面２１３eと当接し、前記壁２１３dに設けた突起２１３fによりコンデンサマイクの位置決めが行われる。
【００７７】
これは、ゴムなどの弾性体なしでコンデンサマイク３０１を固定する場合、１部品のみで構成され寸法精度が出しやすいケース３０５を直接保持することが望ましいためで、さらにＦＥＴが実装された基板に振動やストレスを与えないことを目的としている。
【００７８】
図８(a)においてコンデンサマイクの保持は爪２１３gで行われ、該爪２１３gを形成するための金型のスライド機構が通るための開口部２１３cが前記壁２１３dに設けられている。
【００７９】
開口部２１３cは操作プレート先端部先端２１８dにより遮蔽され、遮音性が確保されている。
【００８０】
コンデンサマイク３０１のリード線３０３は溝２１３hを通り、フレキシブル基板のマイク接続部２０９eに電気的に接続される。
【００８１】
本実施例のようにマイクのリード線３０３が短い場合、リード線の反力でマイクを浮き上がらせる方向に力が加わる。
【００８２】
コンデンサマイク３０１を保持する爪２１３gをリード線３０３の引き出し側に配置することで、コンデンサマイク３０１の浮きや傾斜を防ぐことが可能であり、作業性に優れている。
【００８３】
図９は第一の実施の形態におけるマイク保持構造を示す断面図であり、図９(a)は図１におけるＡ-Ａ断面図、図９(b)は同Ｂ-Ｂ断面図である。
【００８４】
図９(a)において、コンデンサマイク３０１と前面金属外装の半抜き面２１４dは密着させている。
【００８５】
これにより、特許文献１の図５に記載されたマイクをゴム部材で囲む方法に比べてコンデンサマイクと外装カバーの間に隙間が出来ず、前面金属外装の半抜き面２１４dで反射した内部反響音が音響入力孔３０５aから入力されるのを防ぐことができる。
【００８６】
また、ゴムを廃止することにより従来配置できなかった狭いスペースでもマイクを配置することができる。
【００８７】
その結果、化粧リング１０７に設けたマイク穴１０８は該化粧リング端面１０７aとマイク穴１０８の位置は十分な離間距離が確保でき、プレスによる穴開け加工時に強度不足による変形等は発生しない。
【００８８】
ただし、コンデンサマイク３０１を密着させる場合、音響入力孔３０５aに対し、前面金属外装のマイク穴２１４bの位置がずれて該音響入力孔３０５aの一部が塞がれると、開口面積が減ることになり音声信号のＳ/Ｎが低下する原因となる。
【００８９】
したがって該音響入力孔３０５aと金属外装のマイク穴２１４b、化粧リング１０７のマイク穴１０８は略同軸上に配置することが望ましく、開口径についても該音響入力孔３０５aの口径αより前面金属外装の穴径βの方が大きくなくてはならない。
【００９０】
また、マイク穴１０８から内部の前面金属外装の穴が見えないように穴径γは該穴径βより小さくなくてはならない。
【００９１】
次に図９(b)において、コンデンサマイク３０１は投影上、一部がメイン基板２１０に重なっており、マイク背面側を囲う操作プレートの窪み２１８cは基板と最小限の離間距離をおいて接近させている。
【００９２】
同様に腕部２１３aの裏面にはリブ２１３jがあり、メイン基板２１０近傍まで延出している。
【００９３】
これによりコンデンサマイク３０１背面側の遮蔽を確保し、内部反響音の侵入を防いでいる。
【００９４】
コンデンサマイク３０１を保持する爪２１３gはマイク前面側に突出しているため、前面金属外装２１４に穴２１４eを開口し爪２１３gを格納している。
【００９５】
従来、弾性体を介してマイクを保持する時は、マイクを保持するホルダ側で圧入設定に出来たため爪は必要なかったが、本実施例のように直接マイクを保持する方法の場合、ケース３０５の寸法公差に影響することなく確実な保持が可能となっている。
【００９６】
また、コンデンサマイク３０１の位置精度の面でも、弾性体を介さない分、リード線３０３を処理する際に引き込まれて中心位置がずれることを防止できる点において本実施例の保持構造は好適である。
【００９７】
また、爪２１３gを格納する開口穴２１４eは化粧リング１０７を取り付けると見えなくなるため外観品位を損なう心配はない。
【００９８】
〔第２の実施の形態〕
本発明の第２の実施の形態は、上記第１の実施の形態に対して、図１０および図１１で説明する点において相違する。
【００９９】
本実施の形態は、図１０、図１１に示すように前記コンデンサマイク３０２の保持方法を変更した構成となっている。
【０１００】
本実施の形態のその他の要素は、上記第１の実施の形態と同一なので説明を省略する。
【０１０１】
図１０は第一の実施の形態におけるマイク保持構造を示す断面図である。
【０１０２】
図１０(a)は図１におけるＣ-Ｃ断面図、図１０(b)は同Ｄ-Ｄ断面図である。
【０１０３】
図１１は、電池収納部２０３のコンデンサマイク保持部の構造を示す斜視図であり、図１１(a)は分解斜視図、図１１(b)はマイク装着後の斜視図を示す。
【０１０４】
図１０(a)および図１０(b)において、第１の実施の形態と同様、コンデンサマイク３０２と前面金属外装の半抜き面２１４dを密着させ、かつ音響入力孔３０５aと金属外装のマイク穴２１４c、化粧リング１０７のマイク穴１０９を略同軸上に配置している。また、開口径についても第１の実施の形態と同様なので説明を省略する。
【０１０５】
図１１(a)および図１１(b)において、電池収納部２０３はコンデンサマイク３０２を装着可能となるように窪み２０３aが形成され、外周は遮音効果を高めるために前面金属外装２１４の裏面近傍まで壁２０３dで囲まれている。
【０１０６】
コンデンサマイク３０２はケース３０５のカシメ部３０５bが受け面２０３eと当接し、前記壁２０３dに設けた突起２０３fによりコンデンサマイクの位置決めが行われる。
【０１０７】
第１の実施の形態と異なりマイク背面側を遮蔽する壁２０３bは電池収納部２０３自体で形成されている。
【０１０８】
これは、電池収納部２０３がカメラ光軸方向において前面からメインフレーム２０４まで１部品のみで構成され寸法精度が出しやすい上、剛性も高く、第１の実施例のように背面側からマイク保持部２０３aを支持する必要がないためである。
【０１０９】
また、底面部２０３bは基板３１２と十分離間しており、ハンダ部３１３と接触してＦＥＴなどの実装部品に振動やストレスを与えないことは無い。
【０１１０】
コンデンサマイクの保持は爪２０３gで行われ、該爪２０３gを形成するための金型のスライド機構が通るための経路は、リード線３０４を引きだすための溝２０３h内に形成される。
【０１１１】
第１の実施の形態のようにリード線引き出し口と金型スライド機構用の開口を別々に開ける必要が無く遮音性を高める上で有利となる。
【０１１２】
該爪２０３gはマイク前面側に突出しているため、全面金属外装２１４に穴２１４fを開口し爪２０３gを格納している点については第１の実施の形態と同様である。
【０１１３】
リード線引き出し口２０３hと爪２０３gが対向する位置に配置される場合、リード線３０４の反力により、マイクはリード線引き出し口側が浮き上がろうとする。
【０１１４】
そこで、本実施例ではリード線３０４を引きだした後、メインフレーム２０４側に略９０度、折り曲げることで引き込み力を発生させ、浮き上がりを防いでいる。
【０１１５】
コンデンサマイク３０２のリード線３０４は前記溝２０３hを通り、第１の実施の形態と同様、フレキシブル基板のマイク接続部２０９eに電気的に接続される。
【０１１６】
また、コンデンサマイク３０２を囲う壁２０３dにはマイクを外す際にピンセットを挿入するための傾斜部２０３jが具備され、分解作業性に優れる。
【０１１７】
第１及び第２の実施の形態では、円筒形のコンデンサマイクで構成する例を挙げたが、これに限定されるものではなく、例えば直方体形状のものでも良い。この場合も同様の効果が得られる。
【０１１８】
また、第１及び第２の実施の形態では、コンデンサマイクの接続にリード線を使用する例を挙げたが、これに限定されるものではなく、例えばフレキシブル基板で接続しても良い。この場合も同様の効果が得られる。
【０１１９】
また、第１及び第２の実施の形態では、コンデンサマイクの音響入力孔３０５aが単一の比較的大きな穴で構成された例を挙げたが、これに限定されるものではなく、例えば複数の小径穴の集合体で構成されている場合、前記複数の穴を内包する１つのマイク穴と扱っても良い。この場合も同様の効果が得られる。
【０１２０】
また、第１及び第２の実施の形態では、コンデンサマイクの面布３１４をケース３０５に装着した例を挙げたが、これに限定されるものではなく、例えば外装部材２１４や化粧パネル１０７に装着しても良い。この場合も同様の効果が得られる。
【０１２１】
また、第１及び第２の実施の形態では、ステレオのコンデンサマイクで構成した例を挙げたが、これに限定されるものではなく、例えばモノラルマイクであっても良い。この場合も同様の効果が得られる。
【０１２２】
また、第１及び第２の実施の形態では、コンデンサマイクで構成した例を挙げたが、これに限定されるものではなく、例えばダイナミックマイクであっても良い。この場合も同様の効果が得られる。
【０１２３】
第１及び第２の実施の形態では、本発明のマイク保持構造をデジタルカメラに適用した場合を例に挙げたが、これに限定されるものではない。
【０１２４】
本発明の構成は、デジタルカメラ以外にも、１眼レフカメラ、ビデオカメラ等の各種形態の撮像装置、撮像装置以外の光学機器、電子機器にも適用することができる。更に、撮像装置や光学機器や電子機器を構成する要素にも適用することができる。
【符号の説明】
【０１２５】
２０３：電池収納部材、２１３：帯状外装部材、２１４：外装部材、３０１，３０２：マイク
【図１】
2014158122.tif 000003
【図２】
2014158122.tif 000004
【図３】
2014158122.tif 000005
【図４】
2014158122.tif 000006
【図５】
2014158122.tif 000007
【図６】
2014158122.tif 000008
【図７】
2014158122.tif 000009
【図８】
2014158122.tif 000010
【図９】
2014158122.tif 000011
【図１０】
2014158122.tif 000012
【図１１】
2014158122.tif 000013